(57)【要約】【課題】  この考案は、衝撃に強く、切断による消費材の量が少なく、風に対する抵抗が小さい鋸を提供することを課題とする。【解決手段】  円盤と、該円盤の周辺に設けられた歯と、中心に形成された軸孔とを含んでなり、歯は、複数の斜度を具えたカッターからなり、軸孔から外側に向けて環状の一部に内環状区を形成し、内環状区から歯までの間に外環状区を形成し、外環状区の幅は、内環状区よりも狭く、且つ外環状区の厚さは内環状区の厚さよりも薄く形成し、歯の厚さは、外環状区よりも比較的厚く形成する。【選択図】  図６
0003171273.tif 000002
【実用新案登録請求の範囲】
【請求項１】
円盤と、該円盤の周辺に設けられた歯と、中心に形成された軸孔とを含んでなり、
該歯は、複数の斜度を具えたカッターからなり、
該軸孔から外側に向けて環状の一部に内環状区を形成し、内環状区から歯までの間に外環状区を形成し、
外環状区の幅は、内環状区よりも狭く、且つ外環状区の厚さは内環状区の厚さよりも薄く形成し、歯の厚さは、外環状区よりも厚く形成してなることを特徴とする鋸。
【請求項２】
前記内環状区の幅が、外環状区の２倍以上であることを特徴とする請求項１に記載の鋸。
【請求項３】
前記外環状区の厚さが、内環状区の五分の三以下であることを特徴とする請求項１に記載の鋸。
【請求項４】
前記外環状区の厚さが、歯の三分の二以下であることを特徴とする請求項１に記載の鋸。
【考案の詳細な説明】
【技術分野】
【０００１】
この考案は、鋸であって、特に建築材料などを切断するために使用する鋸に関する。
【背景技術】
【０００２】
図１、図２は、従来の木材用、石材用、タイル用、或は金属用の鋸を示したものである。
【０００３】
図面によれば、従来の鋸は、円盤１０と、該円盤の周辺に設けられた歯１１と、中心に形成された軸孔１２とを含んでなる。
【０００４】
該歯１１は複数の斜度を具えたカッターからなる。
【０００５】
該円盤１０の厚さは同じであるが、周辺に設けられた歯１１の厚さは異なる。該円盤１０は軸孔１２から歯１１までの厚さは平均している。
【０００６】
従来の鋸はモーターで動力を伝導すると、円盤１０の厚さが同じであるため、切断する場合に発生する抵抗力が非常に大きくなり、高温が発生し易い。
【０００７】
切断時に抵抗力が発生するため、切断速度が遅くなり、且つ、切断対象物１３の磨耗によりムダになる量が多い（切断による消費材）。
【０００８】
従来の鋸は、切断時の抵抗力が大きい、切断の速度が遅い、切断対象物１３の切断による消費材が多い、必要とするモーターの動力が大きく、電力を消費し、使用寿命が短い、円盤１０（鋸）の回転時に発生する風の抵抗による騒音が大きいなどの改善点があった。
【０００９】
図３、図４は、その後、業界で開発された鋸を示したものである。
【００１０】
図面によれば、従来の鋸は、円盤２０と、該円盤２０の周辺に設けられた複数の歯２１と、中心に形成された軸孔２２とを含んでなる。
【００１１】
該歯２１は、複数の斜度を具えたカッターからなる。
【００１２】
該円盤の厚さは、同じではなく、軸孔から外側に向けて拡大する環状の一部に内環状区２３を形成する。
【００１３】
該内環状区２３と上述の従来の鋸は厚さが同じである。
【００１４】
内環状区２３から歯２１までに外環状区２４を形成する。該外環状区２４の厚さは内環状区２３よりも薄く、且つ、外環状区２４と内環状区２３の幅は略同じに形成する。
【００１５】
図５に開示するように、歯２１の厚さがＸで、外環状区２４の厚さＹに形成する。
【００１６】
よって、鋸にモーターで動力を伝導すると、外環状区２４が内環状区２３より比較的薄いため、切断時に発生する抵抗力が従来の鋸よりも小さくなり、切断対象物２５の切断で消耗される材料（切断による消耗材）も節減することができる。
【００１７】
しかしながら、外環状区２４の厚さが異なるため、切断時に切断曲線２６の切断面が正確に直線で切断できない状況が発生し易い。
【００１８】
また、切断の過程で、高温が発生すると、外環状区２４が変形して外環状区２４が損壊し易く、衝撃に耐え難い、という改善点がある。
【００１９】
常用の規格における従来の鋸は、円盤２０の直径が３００ｍｍで、内環状区２３の厚さが２．２ｍｍ、外環状区２４の厚さＹが１．６ｍｍ、歯２１の厚さＸが２．２ｍｍで形成される。
【００２０】
木材を切断する場合、歯２１が切断する木材に接触し、次に外環状区２４が木材に進入し、外環状区２４と切断した木材との間に隙間Ｚが形成される。
【００２１】
該隙間Ｚが非常に狭く、外環状区２４が木材に貼着するため、快速で円盤２０を回転させると、外環状区２４に高温が発生する。
【００２２】
よって、前述の従来の鋸は、外環状区２４が木材に貼着しているため、円盤２０を快速で回転させると、外環状区２４に高温が発生するため、外環状区２４が変形、損壊し易い。
【００２３】
また、外環状区２４を支持する鋼性が内環状区２３に設けられているが、内環状区２３と、外環状区２４の幅が同じであるため、内環状区２３が外環状区２４の受ける衝撃を支持できず、外環状区２４が衝撃に耐えることができない。
【００２４】
切断時に発生する曲線２６が切断する切断面は正確に直線に切断することができない。鋸の使用寿命が短い、風の抵抗が大きく、騒音が大きいなどの改善点がある。
【考案の開示】
【考案が解決しようとする課題】
【００２５】
この考案は、衝撃に強く、切断による消費材の量が少なく、風に対する抵抗が小さい鋸を提供することを課題とする。
【課題を解決するための手段】
【００２６】
そこで、本考案者は従来の技術に見られる欠点に鑑みて鋭意研究を重ねた結果、円盤と、該円盤の周辺に設けられた歯と、中心に形成された軸孔とを含んでなり、
該歯は、複数の斜度を具えたカッターからなり、
該軸孔から外側に向けて環状の一部に内環状区を形成し、内環状区から歯までの間に外環状区を形成し、
外環状区の幅は、内環状区よりも狭く、且つ外環状区の厚さは内環状区の厚さよりも薄く形成し、歯の厚さは、外環状区よりも比較的厚く形成し、歯の厚さが外環状区よりも比較的厚いため、切断時に切断対象物と外環状区とが接触することがなく、外環状区の幅が内環状区よりも狭いため、外環状区が支持性を具え、高温が発生し難く、切断に対する抵抗が少なく、切断効率を高めることができ、耐衝撃性を具えているため変形することがなく、直線に切断できて、風に対する抵抗も少ないため、低騒音で材料の消費を節減することができる構造からなる鋸によって課題を解決できる点に着眼し、かかる知見に基づいて本考案を完成させた。
【００２７】
以下、この考案について具体的に説明する。
請求項１に記載の鋸は、円盤と、該円盤の周辺に設けられた歯と、中心に形成された軸孔とを含んでなり、
該歯は、複数の斜度を具えたカッターからなり、
該軸孔から外側に向けて環状の一部に内環状区を形成し、内環状区から歯までの間に外環状区を形成し、
外環状区の幅は、内環状区よりも狭く、且つ外環状区の厚さは内環状区の厚さよりも薄く形成し、歯の厚さは、外環状区よりも比較的厚く形成し、歯の厚さが外環状区よりも比較的厚いため、切断時に切断対象物と外環状区とが接触することがなく、外環状区の幅が内環状区よりも狭いため、外環状区が支持性を具え、高温が発生し難く、切断に対する抵抗が少なく、切断効率を高めることができ、耐衝撃性を具えているため変形することがなく、直線に切断できて、風に対する抵抗も少ないため、低騒音で材料の消費を節減することができる構造からなる。
【００２８】
請求項２に記載の鋸は、請求項１における内環状区の幅が、外環状区の２倍以上である。
【００２９】
請求項３に記載の鋸は、請求項１における外環状区の厚さが、内環状区の五分の三以下である。
【００３０】
請求項４に記載の鋸は、請求項１における外環状区の厚さが、歯の三分の二以下である。
【考案の効果】
【００３１】
この考案による鋸は、風に対する抵抗が少ないため騒音が小さく、変形し難いため、使用寿命が長いという効果を有する。
【考案を実施するための最良の形態】
【００３２】
この考案は、衝撃に強く、切断による消費材の量が少なく、風に対する抵抗が小さい鋸であって、円盤と、該円盤の周辺に設けられた歯と、中心に形成された軸孔とを含んでなり、
該歯は、複数の斜度を具えたカッターからなり、
該軸孔から外側に向けて環状の一部に内環状区を形成し、内環状区から歯までの間に外環状区を形成し、
外環状区の幅は、内環状区よりも狭く、且つ外環状区の厚さは内環状区の厚さよりも薄く形成し、歯の厚さは、外環状区よりも比較的厚く形成し、歯の厚さが外環状区よりも比較的厚いため、切断時に切断対象物と外環状区とが接触することがなく、外環状区の幅が内環状区よりも狭いため、外環状区が支持性を具え、高温が発生し難く、切断に対する抵抗が少なく、切断効率を高めることができ、耐衝撃性を具えているため変形することがなく、直線に切断できて、風に対する抵抗も少ないため、低騒音で材料の消費を節減することができる構造からなる鋸の構造と特徴を詳述するために具体的な実施例を挙げ、図示を参照にして以下に説明する。
【実施例】
【００３３】
図６から図８は、この考案の鋸を示したものである。
【００３４】
図面によれば、該鋸は、円盤３０と、該円盤３０の周辺に設けられた歯３１と、中心に形成された軸孔３２とを含んでなる。
【００３５】
該軸孔３２は、円形、或は円形の孔の両側に方形の孔を設けてなり、主軸を組み合わせるために供する。
【００３６】
該歯３１は、複数の斜度を具えたカッターからなり、歯の数は五十形成する。
【００３７】
該軸孔３２から外側に向けて環状の一部に内環状区３３を形成し、内環状区３３から歯３１までの間に外環状区３４を形成する。
【００３８】
外環状区３４の幅は、内環状区３３よりも狭く、且つ外環状区３４の厚さは内環状区３３の厚さよりも薄く形成する。
【００３９】
歯３１の厚さは、外環状区３４よりも比較的厚く、外環状区３４の厚さは内環状区３３の厚さの五分の三以下に形成する。
【００４０】
内環状区３３の幅は、外環状区３４の倍以上に形成し、外環状区３４の厚さは、歯３１の三分の二以下に形成する。
【００４１】
上述の構造を組み合わせて鋸を形成する。図７、８に開示するように、通常規格の鋸は、円盤３０が直径３００ｍｍで、内環状区３３の厚さは約２．６ｍｍ、外環状区３４の厚さＹ１は１．３ｍｍから１．４ｍｍ、歯３１の厚さＸ１は２．２ｍｍに形成する。
【００４２】
木材を切断する場合、歯３１が木材に接触し、次に外環状区３４が木材に進入し、外環状区３４と切断された木材との間に隙間Ｚ１が形成される。
【００４３】
隙間Ｚ１は適宜に距離があるため、外環状区３４が木材に貼着しない。
【００４４】
よって、円盤３０を快速で回転しても、外環状区３４（鋸）に高温が発生しない。
【００４５】
外環状区３４の厚さＹ１が１．３ｍｍから１．４ｍｍで、内環状区３３の厚さが約２．６ｍｍ、外環状区３４の幅が内環状区３３よりも狭いため、外環状区３４が支えられ、耐衝撃性を具えるため、変形することがない。
【００４６】
外環状区３４の厚さが薄く（従来の鋸の外環状区２４に比べて薄い）、歯３１の厚さが外環状区３４よりも厚いため、外環状区３４が木材に貼着しない。
【００４７】
よって、円盤３０を高速で回転しても、外環状区３４に高温が発生することがなく、切断の抵抗力が小さいため、作業速度が上昇する。
【００４８】
また、直線で切断でき、切断による消耗材を節減でき、風の抵抗が少ないため、騒音も抑えることができる。
【００４９】
この考案の鋸は３０ｍｍの厚さの木材（ゴムの木など）を切断する場合、切断の速度が６０メートル/分に達する。
【００５０】
切断する場合、鋸と木材が接触して発生する衝撃が比較的穏やかで、直線性も好ましく、従来の鋸では達成できない。
【００５１】
この考案の鋸は、内環状区３３の幅が外環状区３４よりも広く、内環状区３３の厚さが外環状区３４よりも厚く、歯３１の厚さが外環状区３４よりも比較的厚く形成する。
【００５２】
内環状区３３の幅は、外環状区３４の１．５倍で、外環状区３４が支持され、高速で切断する場合に耐衝撃性を具え、損壊し難い。
【００５３】
歯３１の厚さが外環状区３４よりも厚いため、木材を切断する時、外環状区３４が木材に接触することがなく、木材との間に隙間Ｚ１が形成される。
【００５４】
よって、外環状区３４が切断時に高温を発生することがなく、変形することがない。
【００５５】
切断の抵抗力が小さく、切断効率が上昇し、最も快速の場合、切断効率が従来の鋸の２倍に達し、風の抵抗が小さく、騒音を抑えることができる。
【００５６】
また、切断の直線性が上昇し、切断面が湾曲することがなく、切断による消耗材を節減することができて、使用寿命も長くなる。
【００５７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５８】
【図１】従来の鋸を示した斜視図である。
【図２】従来の鋸の切断時を示した平面図である。
【図３】従来の他の鋸を示した断面図である。
【図４】従来の他の鋸の切断時を示した平面図である。
【図５】従来の他の鋸の切断時の歯と木材の状態を示した断面図である。
【図６】この考案の鋸を示した平面図である。
【図７】この考案の鋸の切断時を示した平面図である。
【図８】この考案の鋸の切断時の歯と木材の状態を示した断面図である。
【符号の説明】
【００５９】
１０     円盤
１１     歯
１２     軸孔
１３     切断対象物
２０     円盤
２１     歯
２２     軸孔
２３     内環状区
２４     外環状区
２５     切断対象物
２６     切断曲線
３０     円盤
３１     歯
３２     軸孔
３３     内環状区
３４     外環状区
Ｘ       厚さ
Ｘ１     厚さ
Ｙ       厚さ
Ｙ１     厚さ
Ｚ       隙間
Ｚ１     隙間
【図１】
0003171273.tif 000003
【図２】
0003171273.tif 000004
【図３】
0003171273.tif 000005
【図４】
0003171273.tif 000006
【図５】
0003171273.tif 000007
【図６】
0003171273.tif 000008
【図７】
0003171273.tif 000009
【図８】
0003171273.tif 000010